(57)【要約】【課題】カード差しを交換する際の被着体との分離を容易にし、コス卜を低減し、カード差しの被着体から浮き上がり、隙間から塵芥の入り込みを防止し、カード差しの破損、汚損、変形等を防止し、カード差しの寿命を長くする。【解決手段】カード差し１は、裏面に第１粘着層２を有し、第１粘着層２により剥離可能に運搬用容器３に貼り付けられる樹脂製でシート状の基材４と、基材４の表面積よりも小さな表面積の表面を有し、基材４の表面に重ねられる、樹脂製でシート状の開口部材５とを備え、基材４にカード６の出入口７となる縁部を除く周縁部が溶着層８を有する袋状に構成され、第１粘着層２が運搬用容器３の表面に粘着され、カード６を差し込むものであり、出入口７の端部９に対応する第１粘着層２の特定領域の上に第２粘着層１０を有し、第２粘着層１０の粘着力が第１粘着層２の粘着力よりも強い。【選択図】図４
2018084632.tif 000002
【特許請求の範囲】
【請求項１】
表面と裏面を有し、該裏面に第１粘着層を有し、該第１粘着層により剥離可能に被着体に貼り付けられる樹脂製でシート状の基材と、
前記基材の表面積よりも小さな表面積の表面を有し、前記基材の表面に重ねられる、樹脂製でシート状の開口部材とを備え、前記基材にカードの出入口となる縁部を除く周縁部が溶着層を有する袋状に構成され、前記第１粘着層が前記被着体の表面に粘着され、カードを入れるためのカード差しであって、
前記出入口の端部に対応する前記第１粘着層の特定領域の上に第２粘着層を積層し、該第２粘着層の粘着力が前記第１粘着層の粘着力よりも強いことを特徴とするカード差し。
【請求項２】
前記周縁部の溶着層の幅よりも、前記第２粘着層の幅が大きく設定される請求項１に記載のカード差し。
【請求項３】
前記第２粘着層が左右又は上下に対向するように一対が設けられる請求項１又は２のカード差し。
【請求項４】
前記第１粘着層は、軟質又は硬質の前記基材の裏面全面に弱粘着の粘着剤を糊引きした層である請求項１ないし３いずれかのカード差し。
【発明の詳細な説明】
【技術分野】
【０００１】
本発明は、例えば製品を収納するコンテナの側面に取り付けられてコンテナ内の製品の種類などを記載したカードを入れるためのカード差しに関し、特に、塩化ビニル樹脂、オレフィン樹脂等によって製造されるカード差しは、背面にあたる基材と前面にあたる開口部材とで構成される小袋形状で、裏面に粘着層を有する粘着式のカード差しに関するものである。
【背景技術】
【０００２】
カード差しは、例えば、組み立て工場、配送場等の分野で利用され、そこでは、工程間及び工場間における製品あるいは半製品の搬送に用いる運搬用容器に適用されることが多い。運搬用容器には、ワークの他に搬送される製品についての情報が記載されたカードを同函させる。その力 一ドを同函するためのホルダーとしてのカード差しは、種類が多く、また数量も多数消費されている。また、運搬用容器はプラスチックスや金属によって形成されるが、その外壁は平滑面であることが多い。そのため、そこにカード差しを取り付けるには両面テープ、又は、糊を必要とする。両面テープ又は糊には剩離紙を貼って利便性を高める。
【０００３】
例えば、特許文献１の図４に示す従来この種のカード差しは、例えば塩化ビニル製の基材に同じく塩化ビニル製のシートの左右及び下の縁部を溶着して袋状に構成されている。このカード差しは、基材の裏側に粘着されている両面粘着テープにより製品を収納したコンテナの外側面に取り付けられ、袋状部分にコンテナ内の製品の種類などを記載した矩形状のカードが出し入れされる。
【０００４】
他の代表例としては、基材の裏側に予め粘着層が糊引きされた例が挙げられるが、説明は省略する。
【先行技術文献】
【特許文献】
【０００５】
【特許文献１】実用新案登録第３００５７７６号公報
【発明の概要】
【発明が解決しようとする課題】
【０００６】
カード差しが抱える従来技術の問題点は、下記に示す通りである。
【０００７】
（１）基材に両面粘着テープを貼付するカード差しの場合、強靭に被着体と接合するが、カード差しを交換する際の被着体との分離が難しくなるし、接着剤が残ってしまうおそれがある。また、全面に両面テープを貼付した場合は、コス卜が上昇する。
【０００８】
（２）基材に予め糊引きしたカード差しの場、コストが安く、カード差しのカード交換の際も、運搬用容器などの被着体との分離も容易であるが、カードを繰り返しカード差しに差すうちに、図１０に丸で示す基材と開口部材の左右の接点で基材ごと被着体から剥がれて被着体から浮き上がり、隙間から塵芥が入り込み易くなって、粘着力を弱くし、カード差しの破損、汚損、変形等、カード差しの粘着能力を劣化させ、カード差しの寿命を短縮させる要因となる。カード差しにＱＲコード（登録商標）、バーコードを含むカードを差す場合、汚損によって読み取れないおそれが生じる。このような浮き上がり現象、汚損現象は、粘着力の弱い又は安定性の低い両面テープを用いた際にも生じる。
【課題を解決するための手段】
【０００９】
本発明者は、上記課題（１）（２）を一挙に解決するため、第１接着層を有する基材の一部又は複数部分に、その第１接着層とは粘着性能の異なる第２接着層を設けることで、基材の裏面上に複数の粘着性能を実現することを見出し、本発明に至った。
【００１０】
すなわち、本発明は、表面と裏面を有し、該裏面に第１粘着層を有し、該第１粘着層により剥離可能に被着体に貼り付けられる樹脂製でシート状の基材と、前記基材の表面積よりも小さな表面積の表面を有し、前記基材の表面に重ねられる、樹脂製でシート状の開口部材とを備え、前記基材にカードの出入口となる縁部を除く周縁部が溶着層を有する袋状に構成され、前記第１粘着層が前記被着体の表面に粘着され、カードを入れるためのカード差しであって、前記出入口の端部に対応する前記第１粘着層の特定領域の上に第２粘着層を積層し、該第２粘着層の粘着力が前記第１粘着層の粘着力よりも強いことを特徴とするカード差しである。
【００１１】
基材（４、２０４、３０４）、開口部材（５、２０５、３０５）の樹脂は、軟質、硬質どちらの樹脂でも良い。
【００１２】
第１粘着層（２、３０２）は、通常、両面粘着テープを用いる場合と、予め基材に粘着剤を糊引きしたもの使用し、同様の粘着機能を付与する場合とがある。
【００１３】
第２粘着層（１０、３１０）は、両面粘着テープ、又は、粘着剤が糊引きされた層であることが好ましい。
【００１４】
周縁部の溶着層（８、２０８、３０８）の幅よりも、第２粘着層（１０、３１０）の幅が大きく設定されることが好ましい。
【００１５】
第２粘着層（１０、３１０）が左右又は上下に対向するように一対が設けられることが好ましい。
【００１６】
第１粘着層（２、３０２）は、軟質又は硬質の基材の裏面全面に弱粘着の粘着剤を糊引きした層であることが好ましい。糊は、ゴム系の粘着剤でも、アクリル系の粘着剤でもよい。
【００１７】
基材（４、２０４、３０４）及び開口部材（５、２０５、３０５）は、軟質塩化ビニル樹脂製、オレフィン系樹脂が好ましく、周縁部と基材との間に溶着層を有することが好ましい。
【発明の効果】
【００１８】
本発明は、弱粘着である第１粘着層の特定領域に強粘着である第２粘着層を設けることで、基材の裏面に２箇所以上の異なる粘着性能を実現することができ、（１）カード差しを交換する際の被着体との分離を容易にすることができ、コス卜を削減できる効果とともに、（２）基材ごと被着体から離れて被着体から浮き上がることを防止し、隙間からの塵芥の侵入を阻止し、カード差しの寿命を長くする効果がある。また、（３）第２粘着層１０は第１粘着層２の上に積層するので、カード差し、或いは、第２粘着層の寸法の自由度が増す効果がある。
【図面の簡単な説明】
【００１９】
【図１】本発明実施形態１のカード差しの正面図及び部分拡大図である。
【図２】本発明実施形態１のカード差しの背面図である。
【図３】本発明実施形態１のカード差しの剥離シートを剥がす状態の背面図である。
【図４】本発明実施形態１のカード差しの剥離シートを剥がした状態の背面図である。
【図５】本発明実施形態１のカード差しの端部のＡ−Ａ部分縦断面図である。
【図６】本発明実施形態１のカード差しを運搬用容器の貼り付けた使用状態の斜視図である。
【図７】本発明実施形態２のカード差しの正面図である。
【図８】本発明実施形態３のカード差しの正面図である。
【図９】本発明実施形態３のカード差しの剥離シートを剥がす状態の背面図である。
【図１０】（ａ）は従来技術の課題を示す正面図、（ｂ）は同じく側面図である。
【発明を実施するための形態】
【００２０】
本発明の実施形態１のカード差し１について図１〜図６を参照して説明する。
【００２１】
カード差し１は、表面と裏面を有し、裏面に第１粘着層２を有し、第１粘着層２により剥離可能に被着体の一例である運搬用容器３に貼り付けられる樹脂製でシート状の基材４と、基材４の表面積よりも小さな表面積の表面を有し、基材４の表面に重ねられる、樹脂製でシート状の開口部材５とを備え、基材４にカード６の出入口７となる縁部を除く周縁部が溶着層８を有する袋状に構成され、第１粘着層２が運搬用容器３の表面に粘着され、カード６を入れるためのカード差しである。出入口７の端部９に対応する特定領域の第１粘着層２の上に第２粘着層１０を有し、第２粘着層１０の粘着力が第１粘着層２の粘着力よりも強いことを特徴とする。以下、各要素を図面を参照して詳細に説明する。
【００２２】
第１粘着層２は、予め基材４の裏面に粘着材を糊引きしたものである。
【００２３】
運搬用容器３は図６に示す通り、上方が開口した４角形の函体である。カード差し１は、運搬用容器３の短辺の側面にあるリブの間の領域に貼り付けられる。
【００２４】
基材４と開口部材５は軟質の塩化ビニル製で、上辺部が出入口７となる開口部材５の上縁部を除く３方の周縁部に対し、対応する部分の基材４が、高周波加熱又は超音波加熱等により、熱溶着されることにより、溶着層８が形成されている。
【００２５】
開口部材５の出入口７となる縁部に中空状で断面が袋状の２層構造の縁取り部材５ａが設けられている。縁取り部材５ａは開口部材５の上端部を折り曲げて、重ね合った縁部が熱溶着されている。
【００２６】
第２粘着層１０は、両面粘着テープである。ポリエステル基材の両面粘着テープが貼ってある。ポリエステル基材は一例であり、他の基材でもよい。溶着層８の幅よりも、第２粘着層１０の幅が大きく設定される。第２粘着層１０が左右に対向するように一対が設けられる。
【００２７】
基材４の裏面に設けた第１粘着層２と第２粘着層１０の上面には剥離シート１１が貼り付けられている。運搬用容器３にカード差し１を取り付ける場合には、第１粘着層２及び第２粘着層１０から剥離シート１１を剥がして、第１粘着層２及び第２粘着層１０の粘着力により、カード差し１を運搬用容器３に粘着するものである。
【実施例１】
【００２８】
カード差し１の寸法が縦１０ｃｍ、横２１．５ｃｍ、厚み１ｍｍの長方形である。開口部材５は縦７．５ｃｍ、横２１．５ｃｍ、厚み１ｍｍの長方形が例示される。縁取り部材５ａは縦８ｍｍ、横２１．５ｃｍである。裏面全面に弱粘着の第１粘着層２を設ける。第２粘着層１０は第１粘着層２の粘着力よりも強い強粘着の層であり、横０．５〜２ｃｍ、縦２ｃｍ〜１０ｃｍが例示される。
【００２９】
本実施形態のカード差し１の製造方法を説明する。ここでは基材４と開口部材５は同一材料、例えば、塩化ビニール製とする。
【００３０】
（１）基材４の裏面の全面にゴム系の粘着剤又はアクリル系の粘着剤からなる糊を糊引きし、剥離シート１１を貼り付けたものをロール状の原反とする。この原反を所定寸法にカッターを有する切断装置で切断する。
【００３１】
（２）原反の表面に開口部材５を位置合わせ機構により位置合わせし、高周波ウェルダーで基材４に開口部材５を溶着し、溶着層８を形成する。原反の糊引きの糊の材質は、ゴム系、アクリル系等の接着剤が例示される。
【００３２】
（３）剥離シート１１の両側を図３に示す通りに剥がし起こし、両面粘着テープを縦方向の端辺を位置合わせして貼り付け、第２粘着層１０を形成する。塩化ビニル樹脂の溶着層８と、両面粘着テープの横幅は、後者の方が広い。
【００３３】
上記糊と両面粘着テープの剥離力の強さ、両面テープの位置は適宜設定可能である。第２粘着層１０の厚みは、糊層である第１粘着層２の厚みより厚いことが好ましいが、例示である。第２粘着層１０の粘着力は表と裏で強さを変更してもよい。剥離試験は、剥がれ難さ度の試験項目であり、カード差しの中央部を把持しワイヤによる引張強度で測定することが可能である。剥がしやすさ度の試験項目については、函体に貼り付けたカード差しの端部に錘を吊り下げて、剥離時間を測定することで、8-10個の適宜数のサンプルについて、比較試験が可能である。
【００３４】
（４）剥離シート１１を元の位置に戻し、剥離シート１１を第１粘着層２と第２粘着層１０に粘着させることで、カード差し１の裏面全体を剥離シート１１で被覆する。
【００３５】
次に実施形態１のカード差し１の作用効果を述べる。
【００３６】
基材４の裏面全面に予め糊引きした第１粘着層２の面上に、別に両面粘着テープである第２粘着層１０を部分的に貼付して積層することにより、第１粘着層２の弱粘着性能とは別に、第２粘着層１０による強粘着性能を部分的に備え、ひとつの粘着面の中で２以上の粘着性能の違いを確保できる。
【００３７】
すなわち、予め糊引きした第１粘着層２により、運搬用容器３との間の粘着を弱粘着に保ち、カード差し１の汚れや汚損等による交換の際、カード差し１を運搬用容器３から剥がれやすくし、運搬用容器３との分離に支障をきたさず、分離作業が容易であることを担保できる。かつ、カード差し１のウィークポイントである特定領域を強粘着の第２粘着層１０で積層することで、開口部材５の繰り返しの引き開きの際に、左右の接点で基材４が運搬用容器３から離れて浮き上がるのを抑えることができる。
【００３８】
カード差し１の寸法の自由度が確保でき、粘着性能の強弱の自由度があるので、需要者のニーズに適切に対応できる。例えば、第２粘着層１０を第１粘着層２の上に積層するので、余分な糊代を取らなくても良い効果がある。
【００３９】
軟質の基材４の裏面に弱粘着の粘着剤を糊引きし第１粘着層２を設けるので、従来の両面テープのように、大きさによっては、２枚以上貼る手間を要せず、工程が簡素化する。
【００４０】
本発明の実施形態２のカード差し２０１について、図７を参照して説明する。実施形態１と共通する構成は２００番台の符号として説明を略し、相違点を説明する。
【００４１】
カード差し２０１は、出入口２０７の形状を、正面視で基材２０４の略対角を結ぶ曲線の形状としたことを特徴とする。これにより、カード６の出し入れの容易性と保持の確実性を両立できる。
【００４２】
本発明の実施形態３のカード差し３０１について、図８及び図９を参照して説明する。実施形態１と共通する構成は３００番台の符号として説明を略し、相違点を説明する。
【００４３】
カード差し３０１は、その形状を縦長にしたもので、カード６の形状が縦長であった場合でも本発明の作用効果を実現できる。
【００４４】
本発明は上記実施形態に限定されるものではなく、第１粘着層２、基材４，開口部材５、出入口７、溶着層８、端部９、第２粘着層１０、剥離シート１１は、上記した形状、構造、材質のものに限られない等、要旨を逸脱しない範囲内で適宜変更して実施し得ることはもちろんである。
【産業上の利用可能性】
【００４５】
本発明は、物品の運搬用容器等の被着体に取り付けられ、カードを差し込んで、カードに記載された情報により、各種作業を行う各種の産業に利用が可能である。
【符号の説明】
【００４６】
１、２０１、３０１・・・カード差し
２、３０２・・・第１粘着層
３・・・運搬用容器
４、２０４、３０４・・・基材
５、２０５、３０５・・・開口部材
５ａ・・・縁取り部材
６・・・カード
７、２０７・・・出入口
８、２０８、３０８・・・溶着層
９、３０９・・・端部
１０、３１０・・・第２粘着層
１１、３１１・・・剥離シート
【図１】
2018084632.tif 000003
【図２】
2018084632.tif 000004
【図３】
2018084632.tif 000005
【図４】
2018084632.tif 000006
【図５】
2018084632.tif 000007
【図６】
2018084632.tif 000008
【図７】
2018084632.tif 000009
【図８】
2018084632.tif 000010
【図９】
2018084632.tif 000011
【図１０】
2018084632.tif 000012